【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
発光素子を有する画素部と、
前記画素部にストライプ状に形成された複数のアノード線またはカソード線と、
前記画素部を挟んで形成されている複数の外部接続部とを有し、
前記複数の外部接続部は前記複数のアノード線またはカソード線の両端側にそれぞれ位置し、
前記複数のアノード線またはカソード線の両端は、近い位置にある前記複数の外部接続部のいずれかにそれぞれ電気的に接続され、
前記複数の外部接続部に、導電体が電気的に接続され、
前記導電体は、前記発光素子からの光の射出を遮ることのない面に配置されていることを特徴とする表示装置。
【請求項２】
発光素子を有する画素部と、
前記画素部にストライプ状に形成された複数のアノード線またはカソード線と、
前記複数のアノード線またはカソード線の一端が電気的に接続された第１の配線と、
前記複数のアノード線またはカソード線の他端が電気的に接続された第２の配線と、
前記画素部を挟んで形成されている複数の外部接続部とを有し、
前記複数の外部接続部は前記複数のアノード線またはカソード線の両端側にそれぞれ位置し、
前記第１の配線と前記第２の配線とは、近い位置にある前記複数の外部接続部のいずれかにそれぞれ電気的に接続され、
前記複数の外部接続部に、導電体が電気的に接続され、
前記導電体は、前記発光素子からの光の射出を遮ることのない面に配置されていることを特徴とする表示装置。
【請求項３】
請求項１または２において、
前記複数の外部接続部は全て同じ前記導電体に接続されていることを特徴とする表示装置。
【請求項４】
請求項１または２において、
前記導電体は取り付けられている前記外部接続部ごとに異なることを特徴とする表示装置。
【請求項５】
請求項１または２において、
前記導電体は前記複数のアノード線またはカソード線の一端側と他端側で別に形成されていることを特徴とする表示装置。
【請求項６】
請求項１乃至請求項５のいずれか一項において、
前記導電体はフレキシブル配線基板であることを特徴とする表示装置。
【請求項７】
請求項１乃至請求項５のいずれか一項において、
前記導電体は導電性のリボンであることを特徴とする表示装置。
【請求項８】
請求項１乃至請求項５のいずれか一項において、
前記導電体は導電線であることを特徴とする表示装置。
【請求項９】
発光素子を有する画素部と、
前記画素部にストライプ状に形成された複数のアノード線またはカソード線と、
前記画素部を封止する導電性を有する封止缶とを有し、
前記複数のアノード線またはカソード線は前記封止缶と電気的に接続されていることを特徴とする表示装置。
【請求項１０】
発光素子を有する画素部と、
前記画素部にストライプ状に形成された複数のアノード線またはカソード線と、
前記画素部を封止する導電性を有する封止缶とを有し、
前記複数のアノード線またはカソード線の両端は前記封止缶と電気的に接続されていることを特徴とする表示装置。
【請求項１１】
発光素子を有する画素部と、
前記画素部に、ストライプ状に形成された複数のアノード線またはカソード線と、
前記複数のアノード線またはカソード線の一端が電気的に接続された第１の配線と、
前記複数のアノード線またはカソード線の他端が電気的に接続された第２の配線と、
前記画素部を封止する導電性を有する封止缶とを有し、
前記第１の配線は、前記封止缶と電気的に接続されていることを特徴とする表示装置。
【請求項１２】
発光素子を有する画素部と、
前記画素部にストライプ状に形成された複数のアノード線またはカソード線と、
前記複数のアノード線またはカソード線の一端が電気的に接続された第１の配線と、
前記複数のアノード線またはカソード線の他端が電気的に接続された第２の配線と、
前記画素部を封止する導電性を有する封止缶とを有し、
前記第１の配線と前記第２の配線とは、前記封止缶と電気的に接続されていることを特徴とする表示装置。
【請求項１３】
発光素子を有する画素部と、
前記画素部にストライプ状に形成された複数のアノード線またはカソード線と、
導電性を有する膜が形成された対向基板とを有し、
前記複数のアノード線またはカソード線は前記導電性を有する膜と電気的に接続されていることを特徴とする表示装置。
【請求項１４】
発光素子を有する画素部と、
前記画素部に、ストライプ状に形成された複数のアノード線またはカソード線と、
導電性を有する膜が形成された対向基板とを有し、
前記複数のアノード線またはカソード線の両端は前記導電性を有する膜と電気的に接続されていることを特徴とする表示装置。
【請求項１５】
発光素子を有する画素部と、
前記画素部にストライプ状に形成された複数のアノード線またはカソード線と、
前記複数のアノード線またはカソード線の一端が電気的に接続された第１の配線と、
前記複数のアノード線またはカソード線の他端が電気的に接続された第２の配線と、
導電性を有する膜が形成された対向基板とを有し、
前記第１の配線は前記導電性を有する膜と電気的に接続されていることを特徴とする表示装置。
【請求項１６】
発光素子を有する画素部と、
前記画素部にストライプ状に形成された複数のアノード線またはカソード線と、
前記複数のアノード線またはカソード線の一端が電気的に接続された第１の配線と、
前記複数のアノード線またはカソード線の他端が電気的に接続された第２の配線と、
導電性を有する膜が形成された対向基板とを有し、
前記第１の配線と前記第２の配線とは、前記導電性を有する膜と電気的に接続されていることを特徴とする表示装置。
【請求項１７】
発光素子を有する画素部と、
前記画素部にストライプ状に形成された複数のアノード線またはカソード線と、
基板の両辺に形成された複数の貫通孔と、
前記基板における画素部が形成された面と反対の面に形成された導電性を有する膜と有し、
前記複数のアノード線またはカソード線は、前記貫通孔を介して前記導電性を有する膜と電気的に接続されていることを特徴とする表示装置。
【請求項１８】
発光素子を有する画素部と、
前記画素部にストライプ状に形成された複数のアノード線またはカソード線と、
基板の両辺に形成された複数の貫通孔と、
前記基板における画素部が形成された面と反対の面に形成された導電性を有する膜と有し、
前記複数のアノード線またはカソード線の両端は、前記貫通孔を介して前記導電性を有する膜と電気的に接続されていることを特徴とする表示装置。
【請求項１９】
発光素子を有する画素部と、
前記画素部にストライプ状に形成された複数のアノード線またはカソード線と、
前記複数のアノード線またはカソード線の一端が電気的に接続された第１の配線と、
前記複数のアノード線またはカソード線の他端が電気的に接続された第２の配線と、
基板の両辺に形成された複数の貫通孔と、
前記基板における画素部が形成された面と反対の面に形成された導電性を有する膜と有し、
前記第１の配線は、前記貫通孔を介して前記導電性を有する膜と電気的に接続されていることを特徴とする表示装置。
【請求項２０】
発光素子を有する画素部と、
前記画素部にストライプ状に形成された複数のアノード線またはカソード線と、
前記複数のアノード線またはカソード線の一端が電気的に接続された第１の配線と、
前記複数のアノード線またはカソード線の他端が電気的に接続された第２の配線と、
基板の両辺に形成された複数の貫通孔と、
前記基板における画素部が形成された面と反対の面に形成された導電性を有する膜と有し、
前記第１の配線と前記第２の配線とは、前記貫通孔を介して前記導電性を有する膜と電気的に接続されていることを特徴とする表示装置。